(57)【要約】通信システムにおいてオペレートしているユーザのためのページング及び不連続受信（ＤＲＸ）サイクル間の相互関係を管理するのを容易にするシステム及び手順が説明される。本明細書で説明されるように、関連するＤＲＸサイクルを有する接続モード・ユーザは、アクティビティーの不必要な期間を最小化するために、ページング受信のそのスケジュールを修正することができる。例えば、ユーザは、まず最初に、ユーザのＤＲＸサイクルに関連するアクティビティーの期間と同じ時期に起こるページング時機のモニタリングをスケジュールすることができる。そのようなページング時機が、モニターされたページング時機の最小要求数に達するのに十分でないならば、アクティビティーの更なる期間をスケジュールすること及び／又はＤＲＸサイクルにおいて指定されるアクティビティーの期間を延長することによって、更なるページング時機が、必要に応じて、モニターされることができる。加えて又は代わりに、ネットワークは、ユーザに関連する接続モードＤＲＸサイクルを、ユーザのためのアイドル・モードのページング・サイクルと同期させることができ、それによって、低い複雑さで電力及び性能の利点を提供する。
2011524693.tif 000002
【特許請求の範囲】
【請求項１】
修正期間の間にモニターされるシステム情報の変更を示すために設定されるページング時機の最小数を識別することと、
前記修正期間の間に利用される不連続受信（ＤＲＸ）サイクルを識別することと、
システム情報の変更を示すために設定される前記最小数のページング時機がモニターされ且つ前記ＤＲＸサイクルの外側のページング時機をモニターするためのウェイクアップ期間が実質的に最小化されるように、前記修正期間の間にモニターするためのそれぞれのページング時機を選択することを含む方法。
【請求項２】
システム情報の変更は、修正期間内のそれぞれの所定の位置で提供されるページング時機のセットにより示される請求項１の方法。
【請求項３】
前記ページング時機のセットは、前記修正期間における実質的にすべてのページング時機を含む請求項２の方法。
【請求項４】
モニターされるシステム情報の変更を示すために設定される前記ページング時機の最小数は、前記ページング時機のセット内のページング時機の数に実質的に等しい請求項２の方法。
【請求項５】
モニターされるシステム情報の変更を示すために設定される前記ページング時機の最小数は、通常の動作状態の下で単一のユーザにより前記修正期間内にモニターされるページング時機の数に実質的に等しい請求項２の方法。
【請求項６】
モニターされるシステム情報の変更を示すために設定される前記ページング時機の最小数は、ページング時機のブロック内のページング時機の数より少ない請求項２の方法。
【請求項７】
モニターされるシステム情報の変更を示すために設定される前記ページング時機の最小数、前記ページング時機のブロック中のページング時機の数、又は、利用されるＤＲＸサイクルのうちの少なくとも一つを、関連するネットワークから受信することを更に含む請求項２の方法。
【請求項８】
前記ＤＲＸサイクルを識別することは、接続モード・オペレーションに関連するＤＲＸサイクルを識別することを含む請求項１の方法。
【請求項９】
前記ＤＲＸサイクルを識別することは、
無線状態の変化を検出することと、
前記無線状態の変化に基づいて、前記修正期間の間に利用されるＤＲＸサイクルを再設定することを含む請求項１の方法。
【請求項１０】
前記選択することは、
前記ＤＲＸサイクルと同じ時期に起こる、前記修正期間内のシステム情報の変更を示するページング時機を識別することと、
前記識別されたページング時機が少なくともモニターされる前記ページング時機の最小数を含むかどうか判定することと、
前記識別されたページング時機が少なくともモニターされる前記ページング時機の最小数を含まないとする判定に応じて、システム情報の変更を示す１又は複数の更なるページング時機を選択することを含む請求項１の方法。
【請求項１１】
選択された更なるページング時機をそれぞれモニターするための前記ＤＲＸサイクルの外側の１又は複数のアクティビティー期間をスケジュールすることを更に含む請求項１０の方法。
【請求項１２】
選択された更なるページング時機をそれぞれモニターすることを容易にするために前記ＤＲＸサイクルに関連する１又は複数のアクティビティー期間を拡張することを更に含む請求項１０の方法。
【請求項１３】
修正期間の間のシステム情報の変更を示す前記ページング時機の最小数の識別に応じて、修正されたシステム情報を次の修正期間に受信するための容易をすることを更に含む請求項１の方法。
【請求項１４】
修正期間の間のそれぞれのページング時機で提供されるシステム情報修正インジケータの閾値量及びそれぞれの不連続受信（ＤＲＸ）時機を含む接続モードの不連続受信（ＤＲＸ）サイクルに関係するデータを格納するメモリと、
前記ＤＲＸサイクルに関連する前記ＤＲＸ時機の外側のアクティビティーが実質的に最小化されるように、修正期間におけるシステム情報修正インジケータの前記閾値量の試行される検出をスケジュールするように構成されるプロセッサとを含む無線通信装置。
【請求項１５】
前記システム情報修正インジケータは、修正期間内のそれぞれの所定の位置に位置する所定の数のページング時機を含むページング時機のセットを含むそれぞれのページング時機において提供される請求項１４の無線通信装置。
【請求項１６】
前記ページング時機のセットは、前記修正期間における実質的にすべてのページング時機を含む請求項１５の無線通信装置。
【請求項１７】
前記システム情報修正インジケータの前記閾値量は、前記ページング時機のセットにおける前記ページング時機の数以下である請求項１５の無線通信装置。
【請求項１８】
システム情報修正インジケータの前記閾値量は、通常の動作状態の下で前記無線通信装置により前記修正期間内にモニターされるページング時機の数に実質的に等しい請求項１５の無線通信装置。
【請求項１９】
前記プロセッサは、システム情報修正インジケータの前記閾値量、ページの前記ブロックのサイズ又は接続モードＤＲＸサイクルのうちの少なくとも一つを含む情報を、関連するネットワークから受信するように更に構成される請求項１５の無線通信装置。
【請求項２０】
前記プロセッサは、前記無線通信装置に関連する無線状態の変化を検出し、該無線状態の変化に基づいて前記接続モードＤＲＸサイクルを再設定するように更に構成される請求項１４の無線通信装置。
【請求項２１】
前記プロセッサは、少なくとも部分的に、前記接続モードＤＲＸサイクルにおいて提供されるＤＲＸ時機と同じ時期に起こるそれぞれのシステム情報修正インジケータを含むページング時機を識別することによって、修正期間においてシステム情報修正インジケータの前記閾値量の試行される検出をスケジュールするように更に構成される請求項１４の無線通信装置。
【請求項２２】
前記プロセッサは、識別されたページング時機の量を、システム情報修正インジケータの前記閾値量と比較し、システム情報修正インジケータの前記閾値量に達するためには更なるページング時機が要求されると判定されることに応じて、それぞれのシステム情報修正インジケータを含む１又は複数の更なるページング時機の試行される検出をスケジュールするように更に構成される請求項２１の無線通信装置。
【請求項２３】
前記プロセッサは、前記ＤＲＸサイクルにおいて提供されるＤＲＸ時機の外側のアクティビティーの１又は複数の期間にわたって、それぞれの更なるシステム情報修正インジケータの試行される検出をスケジュールするように更に構成される請求項２２の無線通信装置。
【請求項２４】
前記プロセッサは、前記ＤＲＸサイクルにおいて提供される１又は複数のＤＲＸ時機を拡張することによって、それぞれの更なるシステム情報修正インジケータの試行される検出をスケジュールするように更に構成される請求項２２の無線通信装置。
【請求項２５】
無線通信システムにおいて動作可能な装置において、前記装置は、
修正期間にリードされるそれぞれの変更インジケーションを伝えるために設定されるページング時機の最小数を識別するための手段と、
前記装置の接続モードに関連するアクティビティー及び非アクティビティーのそれぞれの期間を特定する不連続受信（ＤＲＸ）サイクルを設定するための手段と、
それぞれの変更インジケーションを運ぶために設定される前記最小数のページング時機がリード可能であり且つ前記ＤＲＸサイクルにより特定されるアクティビティーのそれぞれの期間の外側の受信機アクティビティーが実質的に最小化されるように、修正期間においてモニターするためのページング時機を選択するための手段とを含む装置。
【請求項２６】
それぞれの変更インジケーションは、修正期間内のそれぞれの所定の位置に位置する所定の数のページング時機を含むページング時機のセットを使用して伝達される請求項２５の装置。
【請求項２７】
修正期間にリードされる前記ページング時機の最小数は、前記ページング時機のセットにおける前記ページング時機の数以下である請求項２６の装置。
【請求項２８】
修正期間にリードされる前記ページング時機の最小数、前記サイズ及び前記ＤＲＸサイクルに関係する情報からなるグループから選択された少なくとも一つのパラメータを、発展型ＵＭＴＳ（ユニバーサル移動通信システム）地上無線アクセスネットワーク（Ｅ−ＵＴＲＡＮ）から取得するための手段を更に含む請求項２６の装置。
【請求項２９】
前記選択するための手段は、
前記ＤＲＸサイクルに関連するアクティビティーのそれぞれの期間と同じ時期に起こるそれぞれの変更インジケーションを伝えるために設定されるページング時機を識別するための手段と、
前記識別されたページング時機が前記修正期間にリードされる前記ページング時機の最小数を少なくとも含まないとの判定に応じて、それぞれの変更インジケーションを伝えるために設定される１又は複数の更なるページング時機のモニタリングをスケジュールするための手段とを含む請求項２５の装置。
【請求項３０】
前記スケジュールするための手段は、
それぞれの更なるページング時機のリードを容易にするために、前記ＤＲＸに関連する非アクティビティーのそれぞれの期間の間に、アクティビティーの１又は複数の期間をスケジュールするための手段と、
それぞれの更なるページング時機のリードを容易にするために、前記ＤＲＸに関連するアクティビティーの１又は複数の期間を延長するための手段とのうちの１又は複数を含む請求項２９の装置。
【請求項３１】
コンピュータに、修正期間の少なくとも一部に関連するそれぞれのページング時機の間に提供されるように設定されるシステム情報修正インジケータの閾値量を識別させるためのコードと、
コンピュータに、アクティビティー及び非アクティビティーのそれぞれの期間を含む接続モード不連続受信（ＤＲＸ）サイクルを設定させるためのコードと、
コンピュータに、システム情報修正インジケータの前記閾値量の検出を容易にするために十分なページング時機がモニターされ且つ前記ＤＲＸサイクルにより特定されるアクティビティーの前記期間の外側のアクティビティーが実質的に最小化されるように、修正期間においてシステム情報修正インジケータを提供するように構成されるそれぞれのページング時機のモニタリングをスケジュールさせるためのコードとを含むコンピュータ読み取り可能な媒体を含むコンピュータ・プログラム製品。
【請求項３２】
システム情報修正インジケータは、前記修正期間内の所定の位置で、１セットのそれぞれのページング時機の間、提供される請求項３１のコンピュータ・プログラム製品。
【請求項３３】
前記コンピュータ読み取り可能な媒体は、コンピュータに、システム情報修正インジケータの前記閾値量、ページング時機の前記ブロックのサイズ又は接続モードＤＲＸサイクルに関係する情報のうちの少なくとも一つを、関連するネットワークから取得させるためのコードを更に含む請求項３２のコンピュータ・プログラム製品。
【請求項３４】
コンピュータにスケジュールさせるための前記コードは、コンピュータに、前記接続モードＤＲＸサイクルにより特定されるアクティビティーの期間と同じ時期に起こるそれぞれのシステム情報修正インジケータを含むページング時機を識別することに少なくとも部分的によって、それぞれのページング時機のモニタリングをスケジュールさせるためのコードを含む請求項３１のコンピュータ・プログラム製品。
【請求項３５】
コンピュータにスケジュールさせるための前記コードは、
コンピュータに、識別されたページング時機の量を、システム情報修正インジケータの前記閾値量と比較させるためのコードと、
コンピュータに、システム情報修正インジケータの前記閾値量に到達するために更なるページング時機が要求されると判定されることに応じて、少なくとも一つの更なるページング時機のモニタリングをスケジュールさせるためのコードとを含む請求項３４のコンピュータ・プログラム製品。
【請求項３６】
コンピュータにスケジュールさせるための前記コードは、
コンピュータに、少なくとも一つの更なるページング時機のモニタリングを容易にするために、前記接続モードＤＲＸに関連する非アクティビティーのそれぞれの期間の間に、アクティビティーの１又は複数の期間をスケジュールさせるためのコードと、
コンピュータに、少なくとも一つの更なるページング時機のモニタリングを容易にするために、前記接続モードＤＲＸに関連するアクティビティーの１又は複数の期間を延長させるためのコードとのうちの１又は複数を含む請求項３５のコンピュータ・プログラム製品。
【請求項３７】
システム情報の変更に関連するsystemInfoModification通知の量に対応する数値modificationPeriodCoeffを取得することと、
修正期間に対応する境界を検出することと、
関連する不連続受信（ＤＲＸ）サイクルのスケジュールに少なくとも部分的に基づいて、前記修正期間内で、１又は複数のメッセージをモニターすることと、
systemInfoModification通知が、少なくともmodificationPeriodCoeffの回数、モニターされた前記ページング・メッセージ中に存在するかどうか判定することと、
前記systemInfoModification通知が、少なくともmodificationPeriodCoeffの回数、モニターされた前記ページング・メッセージ中に存在しない場合に、現在、格納されているシステム情報は前記修正期間を通して有効なままであると仮定することと、
前記systemInfoModification通知が、少なくともmodificationPeriodCoeffの回数、モニターされた前記ページング・メッセージ中に存在する場合に、次の修正期間で起こるシステム情報の変更のための用意をすることを含む方法。
【請求項３８】
端末に関連するページング・サイクルを識別することと、
前記ページング・サイクルに関連する長さパラメータ及びオフセット・パラメータを判定することと、
前記ページング・サイクルに関連する長さパラメータ及びオフセット・パラメータに少なくとも部分的に基づいて、前記端末のための不連続受信（ＤＲＸ）サイクルに対応するアクティビティーの期間が、前記端末に関連する前記ページング・サイクルに対応するアクティビティーの期間と少なくとも部分的に同じ時期に起こるように、前記端末のための不連続受信（ＤＲＸ）サイクルを生成することを含む方法。
【請求項３９】
前記判定することは、前記ページング・サイクルに関連するサブフレーム・オフセットを判定することを含み、
前記生成することは、前記ＤＲＸサイクルのためのスタート・オフセットを、前記ページング・サイクルの前記サブフレーム・オフセットに実質的に等しく設定することを含む請求項３８の方法。
【請求項４０】
前記判定することは、前記ページング・サイクルの長さを判定することを含み、
前記生成することは、前記ＤＲＸサイクルの長さを、前記ページング・サイクルの前記長さの倍数であるように又は分割するように設定することを含む請求項３８の方法。
【請求項４１】
前記生成することは、前記ＤＲＸサイクルの長さを、３２０ミリ秒に分割するように設定することを更に含む請求項４０の方法。
【請求項４２】
ユーザ装置ユニット（ＵＥ）に関係するデータ及び該ＵＥに関連するページング・サイクルを格納するメモリと、
前記ページング・サイクルに関連する長さ及びオフセットを判定し、前記ページング・サイクルに関連する前記長さ及びオフセットに少なくとも部分的に基づいて、前記ＵＥのための不連続受信（ＤＲＸ）サイクルが、前記ＵＥのための前記ページング・サイクル内のアクティビティーの期間と少なくとも部分的に同じ時期に起こるアクティビティーの期間を含むように、前記ＵＥのための不連続受信（ＤＲＸ）サイクルを設定するように構成されるプロセッサとを含む無線通信装置。
【請求項４３】
前記プロセッサは、前記ページング・サイクルに関連するサブフレーム・オフセットを識別し、前記ＤＲＸサイクルのためのスタート・オフセットを、前記ページング・サイクルの前記サブフレーム・オフセットに実質的に等しくなるように設定するように更に構成される請求項４２の無線通信装置。
【請求項４４】
前記プロセッサは、前記ページング・サイクルの長さを識別し、前記ＤＲＸサイクルの長さを、前記ページング・サイクルの前記長さの倍数になるように又は分割するように、前記ＤＲＸサイクルの長さを設定するように更に構成される請求項４２の無線通信装置。
【請求項４５】
無線通信システムにおいて動作可能な装置において、
アクティビティーの関連する期間を有するユーザ装置ユニット（ＵＥ）ページング・サイクルを識別するための手段と、
前記ＵＥページング・サイクルの長さ及びオフセットに関係するパラメータを識別するための手段と、
アクティビティーの関連する期間を有する不連続受信（ＤＲＸ）サイクルに関連する該アクティビティーの期間と前記ＵＥページングに関連する前記アクティビティーの期間とが少なくとも部分的に同じ時期に起こるように、前記ＵＥページング・サイクルに関係する前記識別されたパラメータに少なくとも部分的に基づいて、前記ＤＲＸサイクルを設定するための手段とを含む装置。
【請求項４６】
前記パラメータを識別するための手段は、所定の無線フレーム内で前記ＵＥページング・サイクルに関連するページング時機に適用されるサブフレームにおけるオフセットを識別するための手段を含み、
前記設定するための手段は、前記ＤＲＸサイクル及び前記ページング・サイクルが、所定の無線フレーム内の共通のサブフレームから開始するように、前記ＤＲＸサイクルのスタート・オフセットを設定するための手段を含む請求項４５の装置。
【請求項４７】
前記設定するための手段は、前記ＤＲＸサイクルの長さを、前記ＵＥページング・サイクルの前記長さの倍数になるように又は分割するように、前記ＤＲＸサイクルの長さを設定するための手段を含む請求項４５の装置。
【請求項４８】
コンピュータに、端末及び該端末に関連するページング・サイクル（該ページング・サイクルは、それぞれのページング時機を含む）を識別させるためのコードと、
前記ページング・サイクルに関連する長さ及びオフセットを判定させるためのコードと、
コンピュータに、前記ページング・サイクルに関連する前記長さ及びオフセットに少なくとも部分的に基づいて、前記端末のための不連続受信（ＤＲＸ）サイクルにおけるそれぞれのＤＲＸ時機が、前記ページング・サイクルにおけるそれぞれのページング時機と少なくとも部分的に同じ時期に起こるように、前記端末のための不連続受信（ＤＲＸ）サイクルを設定させるためのコードとを含むコンピュータ読み取り可能な媒体を含むコンピュータ・プログラム製品。
【請求項４９】
コンピュータに設定させるための前記コードは、コンピュータに、前記ＤＲＸサイクルのためのスタート・オフセットを、前記ページング・サイクルに関連する前記オフセットに実質的に等しくなるように設定させるためのコードを含む請求項４８のコンピュータ・プログラム製品。
【請求項５０】
コンピュータに設定させるための前記コードは、コンピュータに、前記ＤＲＸサイクルの長さを、前記ページング・サイクルに関連する長さの倍数になるように又は分割するように、前記ＤＲＸサイクルの長さを設定させるためのコードを含む請求項４８のコンピュータ・プログラム製品。
【発明の詳細な説明】
【技術分野】
【０００１】
（相互参照）
この出願は、２００８年６月１３日付け提出され、参照によってその全体が本明細書に組み込まれる「A METHOD AND APPARATUS MANAGING INTERACTION BETWEEN DRX CYCLES AND PAGING CYCLES」と題された米国仮出願第６１／０６１，５１５号の利益を主張する。
【０００２】
（技術分野）
本開示は、一般に無線通信に関し、より詳しくは無線通信システムにおける受信機スケジューリング及び管理のための技術に関する。
【背景技術】
【０００３】
様々な通信サービスを提供するために、無線通信システムが広く配置される。例えば、ボイス、ビデオ、パケット・データ、ブロードキャスト及びメッセージング・サービスが、そのような無線通信システムを介して提供されることができる。これらのシステムは、利用できるシステム資源を共有することによって複数の端末に関する通信をサポート可能な多元接続システムとすることができる。そのようなマルチアクセス・システムの例には、符号分割多元接続（ＣＤＭＡ）システム、時分割多元接続（ＴＤＭＡ）システム、周波数分割多元接続（ＦＤＭＡ）システム及び直交周波数分割多元接続（ＯＦＤＭＡ）システムが含まれる。
【０００４】
通常、無線マルチアクセス通信システムは、複数の無線端末に関する通信を同時にサポートすることができる。そのようなシステムにおいて、各々の端末は、順方向及び逆方向リンク上の伝送を介して１又は複数の基地局と通信することができる。順方向リンク（又はダウンリンク）は基地局から端末への通信リンクを指し示し、逆方向リンク（又はアップリンク）は端末から基地局への通信リンクを指し示す。この通信リンクは、単一入力単一出力（ＳＩＳＯ）、多重入力単一出力（ＭＩＳＯ）又は多重入力多重出力（ＭＩＭＯ）システムを介して確立されることができる。
【０００５】
様々な無線通信実装において、ネットワークは、ページング・メッセージの伝送を介して、それぞれのユーザに情報を伝えることができる。伝統的に、それぞれのユーザが、少なくとも一つの割り当てられたページング・サイクルに関連してページング・メッセージを受信するように設定（configured）されるように、ページング・サイクルによって定義された対応するタイム・インターバル（intervals in time）において、ページングが実行される。例えば、ユーザによりアクセスされるネットワークが、ページング・サイクル上の（１又は複数の）ユーザを対象とするページング・サイクル上のページング時機（paging occasions）において送信することができるように、アイドル・モードのユーザは、そのユーザがその上でページング・チャネルをモニターするページング・サイクルを割り当てられることができる。その後、アイドル・モードから出て、接続モード（connected-mode）に入ると、ユーザは、スケジュールされた伝送を受信することができる。スケジュールされた伝送は、そのユーザに関連する接続モードの不連続受信（Discontinuous Reception）（ＤＲＸ）サイクルに従ってスケジュールされる伝送を含むことがある。
【０００６】
アイドル状態のユーザへ情報を提供するのに加えて、ネットワークは、システム情報の変更（change）を示す（indicate）ために、ページングを利用することができる。これは、従来は、ネットワークをモニターするすべてのユーザに到達するために、すべてのページング・サイクルに関する変更を示すページング・メッセージを送信することによって、達成される。したがって、システム情報修正の場合には、アイドル状態のユーザ（idle users）と接続状態のユーザ（connected users）の両方が、定義された数の修正を示すページング・メッセージをモニターすることを要求される場合がある。しかし、接続モードのユーザに関連するＤＲＸサイクルとネットワークにより使用されるそれぞれのページング・サイクルとが相違する場合には、接続モードのユーザがアクティブに情報を受信しているときに、ネットワークにより十分なページング・メッセージが送信されない可能性がある。そのようなシナリオにおいて、接続モードのユーザは、そのユーザがさもなければ接続モードＤＲＸサイクルのためにインアクティブであろうかなりの数のインターバルにおいて、ページング・チャネルをモニターすることを要求される可能性がある。それは、結果として、効率性、電力性能などの損失をもたらす。したがって、少なくとも上記の欠点を軽減するシステム情報修正に関連するページング管理の技術を実装することは、望ましいであろう。
【発明の概要】
【０００７】
以下は、クレームされた主題の様々な態様について、そのような態様の基本的な理解を提供するために、その簡略化された概要を示す。この概要は、すべての予期される態様の外延的な概要であるというわけではなく、また、鍵となる又は重要な要素を特定することも、そのような態様の範囲を線引きすることも意図されていない。その唯一の目的は、後で示されるより詳しい説明に対する前置きとして、１又は複数の実施態様の幾つかの概念を簡略化された形で示すことである。
【０００８】
一つの態様に従って本明細書で方法が説明される。本方法は、修正期間の間にモニターされるシステム情報の変更を示すために設定されるページング時機の最小数を識別することと、前記修正期間の間に利用される不連続受信（ＤＲＸ）サイクルを識別することと、システム情報の変更を示すために設定される前記最小数のページング時機がモニターされ且つ前記ＤＲＸサイクルの外側のページング時機をモニターするためのウェイクアップ期間が実質的に最小化されるように、前記修正期間の間にモニターするためのそれぞれのページング時機を選択することを含むことができる。
【０００９】
第２の態様は、無線通信装置に関係し、それは、修正期間の間のそれぞれのページング時機で提供されるシステム情報修正インジケータの閾値量及びそれぞれのＤＲＸ時機を含む接続モードのＤＲＸサイクルに関係するデータを格納するメモリを含むことができる。本無線通信装置は、前記ＤＲＸサイクルに関連する前記ＤＲＸ時機の外側のアクティビティーが実質的に最小化されるように、修正期間におけるシステム情報修正インジケータの前記閾値量の試行される検出をスケジュールするように構成されるプロセッサを更に含むことができる。
【００１０】
本明細書で説明される第３の態様は、無線通信システムにおいて動作可能な装置に関係する。本装置は、修正期間にリードされるそれぞれの変更インジケーションを伝えるために設定されるページング時機の最小数を識別するための手段と、前記装置の接続モードに関連するアクティビティー及び非アクティビティーのそれぞれの期間を特定するＤＲＸサイクルを設定するための手段と、それぞれの変更インジケーションを運ぶために設定される前記最小数のページング時機がリード可能であり且つ前記ＤＲＸサイクルにより特定されるアクティビティーのそれぞれの期間の外側の受信機アクティビティーが実質的に最小化されるように、修正期間においてモニターするためのページング時機を選択するための手段とを含むことができる。
【００１１】
本明細書で説明される第４の態様は、コンピュータ・プログラム製品に関係し、それは、
コンピュータに、修正期間の少なくとも一部に関連するそれぞれのページング時機の間に提供されるように設定されるシステム情報修正インジケータの閾値量を識別させるためのコードと、コンピュータに、アクティビティー及び非アクティビティーのそれぞれの期間を含む接続モードＤＲＸサイクルを設定させるためのコードと、コンピュータに、システム情報修正インジケータの前記閾値量の検出を容易にするために十分なページング時機がモニターされ且つ前記ＤＲＸサイクルにより特定されるアクティビティーの前記期間の外側のアクティビティーが実質的に最小化されるように、修正期間においてシステム情報修正インジケータを提供するように構成されるそれぞれのページング時機のモニタリングをスケジュールさせるためのコードとを含むコンピュータ読み取り可能な媒体を含むことができる。
【００１２】
他の態様に従って、本明細書で無線通信システムにおいて動作可能な方法が説明される。本方法は、システム情報の変更に関連するsystemInfoModification通知の量に対応する数値modificationPeriodCoeffを取得することと、修正期間に対応する境界を検出することと、関連するＤＲＸサイクルのスケジュールに少なくとも部分的に基づいて、前記修正期間内で、１又は複数のメッセージをモニターすることと、systemInfoModification通知が、少なくともmodificationPeriodCoeffの回数、モニターされた前記ページング・メッセージ中に存在するかどうか判定することと、前記systemInfoModification通知が、少なくともmodificationPeriodCoeffの回数、モニターされた前記ページング・メッセージ中に存在しない場合に、現在、格納されているシステム情報は前記修正期間を通して有効なままであると仮定することと、前記systemInfoModification通知が、少なくともmodificationPeriodCoeffの回数、モニターされた前記ページング・メッセージ中に存在する場合に、次の修正期間で起こるシステム情報の変更のための用意をすることを含むことができる。
【００１３】
本明細書で説明される更なる態様は、無線通信環境において利用されることができる方法に関係する。本方法は、端末に関連するページング・サイクルを識別することと、前記ページング・サイクルに関連する長さパラメータ及びオフセット・パラメータを判定することと、前記ページング・サイクルに関連する長さパラメータ及びオフセット・パラメータに少なくとも部分的に基づいて、前記端末のためのＤＲＸサイクルに対応するアクティビティーの期間が、前記端末に関連する前記ページング・サイクルに対応するアクティビティーの期間と少なくとも部分的に同じ時期に起こる（coincide）ように、前記端末のための不連続受信（ＤＲＸ）サイクルを生成することを含むことができる。
【００１４】
第７の態様は、無線通信装置に関係し、それは、ユーザ装置ユニット（ＵＥ）に関係するデータ及び該ＵＥに関連するページング・サイクルを格納するメモリを含むことができる。本無線通信装置は、前記ページング・サイクルに関連する長さ及びオフセットを判定し、前記ページング・サイクルに関連する前記長さ及びオフセットに少なくとも部分的に基づいて、前記ＵＥのためのＤＲＸサイクルが、前記ＵＥのための前記ページング・サイクル内のアクティビティーの期間と少なくとも部分的に同じ時期に起こるアクティビティーの期間を含むように、前記ＵＥのためのＤＲＸサイクルを設定するように構成されるプロセッサを更に含むことができる。
【００１５】
本明細書で説明される第８の態様は、無線通信システムにおいて動作可能な装置に関係する。本装置は、アクティビティーの関連する期間を有するＵＥページング・サイクルを識別するための手段と、前記ＵＥページング・サイクルの長さ及びオフセットに関係するパラメータを識別するための手段と、アクティビティーの関連する期間を有するＤＲＸサイクルに関連する該アクティビティーの期間と前記ＵＥページングに関連する前記アクティビティーの期間とが少なくとも部分的に同じ時期に起こるように、前記ＵＥページング・サイクルに関係する前記識別されたパラメータに少なくとも部分的に基づいて、前記ＤＲＸサイクルを設定するための手段とを含むことができる。
【００１６】
本明細書で説明される第９の態様は、コンピュータ・プログラム製品に関係し、それは、コンピュータに、端末及び該端末に関連するページング・サイクル（該ページング・サイクルは、それぞれのページング時機を含む）を識別させるためのコードと、前記ページング・サイクルに関連する長さ及びオフセットを判定させるためのコードと、コンピュータに、前記ページング・サイクルに関連する前記長さ及びオフセットに少なくとも部分的に基づいて、前記端末のためのＤＲＸサイクルにおけるそれぞれのＤＲＸ時機が、前記ページング・サイクルにおけるそれぞれのページング時機と少なくとも部分的に同じ時期に起こるように、前記端末のための不連続ＤＲＸサイクルを設定させるためのコードとを含むコンピュータ読み取り可能な媒体を含むことができる。
【００１７】
前述の目的及び関係する目的の達成のために、クレームされた主題の１又は複数の態様は、以下に十分に説明され、特に特許請求の範囲において指摘された特徴を包含する。以下の説明及び添付された図面は、クレームされた主題の幾つかの例示的な態様を説明する。しかし、これらの態様は、クレームされた主題の原理が使用されることのできる様々な方法のうちのほんの数例を示す。さらに、開示された態様は、すべてのそのような態様及びそれらの均等物を含むことが意図される。
【図面の簡単な説明】
【００１８】
【図１】図１は、様々な態様に従って無線通信システムにおけるそれぞれのエンティティーに関連する不連続受信（Discontinuous Reception）（ＤＲＸ）及びページング・サイクルの管理及び調整（coordination）を容易にするシステムのブロック図である。
【図２】図２は、様々な態様に従って無線通信環境内のシステム情報修正（modification）を容易にするシステムのブロック図である。
【図３】図３は、様々な態様に従ってシステム情報変更検出のためのそれぞれのタイミング・シナリオを示す。
【図４】図４は、様々な態様に従って無線デバイスに関連するＤＲＸサイクルとページング・サイクルとの間の例示的な相互関係（interactions）を示す。
【図５】図５は、様々な態様に従ってシステム情報修正インジケータを提示（submitting）及び処理するための例示的なシステムを説明する。
【図６】図６は、様々な態様に従ってページング及びＤＲＸ管理の例示的な技術を示す。
【図７】図７は、様々な態様に従って無線デバイスのページング・パラメータを設定（configuring）するための例示的な技術を示すタイミングチャートである。
【図８】図８は、様々な態様に従ってページングとＤＲＸサイクルとの間のネットワーク・ベースの調整を容易にするシステムのブロック図である。
【図９】図９は、システム情報修正期間の間にページング及びＤＲＸオペレーションを調整するための手順のフローチャートである。
【図１０】図１０は、設定シグナリング（configuration signaling）に基づいてページング・サイクルとＤＲＸサイクルとの間の相互関係を管理するための手順のフローチャートである。
【図１１】図１１は、無線通信ネットワークに関連するシステム情報の有効性（validity）を評価（assessing）するための手順のフローチャートである。
【図１２】図１２は、無線端末に関連するＤＲＸサイクルを構築（structuring）するための手順のフローチャートである。
【図１３】図１３−１４は、無線通信システムにおいてＤＲＸ及びページング・オペレーションの調整を容易にするそれぞれの装置のブロック図である。
【図１４】図１３−１４は、無線通信システムにおいてＤＲＸ及びページング・オペレーションの調整を容易にするそれぞれの装置のブロック図である。
【図１５】図１５−１６は、本明細書で説明される機能（functionality）の様々な態様を実装するために利用されることができるそれぞれの無線通信デバイスのブロック図である。
【図１６】図１５−１６は、本明細書で説明される機能（functionality）の様々な態様を実装するために利用されることができるそれぞれの無線通信デバイスのブロック図である。
【図１７】図１７は、本明細書で説明される様々な態様に従って無線マルチアクセス通信システムを示す。
【図１８】図１８は、本明細書で説明される様々な態様が機能することができる例示的な無線通信システムを示すブロック図である。
【詳細な説明】
【００１９】
さて、クレームされた主題の様々な態様が図面を参照して説明される。ここで、全体にわたって同様のエレメントを指し示すために同様の参照番号が使用される。以下の記述では、説明の目的のために、多数の特定の細部が、１又は複数の実施形態の深い理解を与えるために説明される。しかし、そのような（１又は複数の）態様がこれら特定の細部なしに実施され得ることは明らかであろう。他のインスタンスにおいて、１又は複数の態様の説明を容易にするために、良く知られた構造及びデバイスが、ブロック図の形で示される。
【００２０】
この出願において用いられる用語“コンポーネント（component）”、“モジュール（module）”、“システム（system）”及び同類のものは、コンピュータ関連のエンティティーである、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、集積回路、オブジェクト、実行ファイル（executable）、実行のスレッド、プログラム、及び／又は、コンピュータであっても良い（ただし、これらに制限されるものではない）。例として、コンピュータデバイス上で動作するアプリケーションと、そのコンピュータデバイスの両方とも、コンポーネントであり得る。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば、１又は複数のデータパケット（例えば、その信号を経由して、ローカルシステムにおいて、分散システムにおいて及び／又は例えば他のシステムをともなうインターネットのようなネットワークを横切って、他のコンポーネントとインタラクトする、一つのコンポーネントからのデータ）を持つ信号に従うような、ローカルプロセス及び／又はリモートプロセスを経由して、通信することができる。
【００２１】
さらにまた、無線端末及び／又は基地局に関連して様々な態様が本明細書で説明される。無線端末は、ボイス及び／又はデータ接続性をユーザに提供するデバイスを指し示すことができる。無線端末は、例えばラップトップ・コンピュータ又はデスクトップ・コンピュータのようなコンピュータデバイスに接続されることができ、又は、それは、例えば携帯情報端末（ＰＤＡ）のような内蔵型の（self contained）デバイスであることができる。無線端末はまた、システム、加入者ユニット、加入者設備、モバイル局、モバイル、リモート局、アクセスポイント、リモート端末、アクセス端末、ユーザ端末、ユーザ・エージェント、ユーザデバイス又はユーザ装置（ＵＥ）と呼ばれることができる。無線端末は、加入者設備、無線デバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、無線接続機能を有するハンドヘルド・デバイス又は無線モデムに接続される他の処理デバイスであることができる。基地局（例えば、アクセスポイント又は発展型Ｎｏｄｅ Ｂ（Evolved Node B）（ｅＮＢ））は、エアーインタフェース上で１又は複数のセクターを通して無線端末と通信するアクセスネットワーク中のデバイスを指し示すことができる。基地局は、無線端末と他のアクセスネットワークと間のルータとして動作することができる。それは、受信したエアーインタフェース・フレームをＩＰパケットへ変換することによって、インターネット・プロトコル（ＩＰ）ネットワークを含むことができる。基地局はまた、エアーインタフェースに関するアトリビュート（attributes）の管理を調整（coordinates）する。
【００２２】
さらに、本明細書で説明される様々な機能は、ハードウェア、ソフトウェア、ファームウェア又はそれらの任意の組み合せにおいて実装されることができる。ソフトウェアで実装される場合には、該機能は、１又は複数のインストラクション又はコードとして、コンピュータ読み取り可能な媒体に格納され又は、コンピュータ読み取り可能な媒体をわたって伝送されることができる。コンピュータ読み取り可能な媒体（computer-readable media）は、コンピュータ記憶媒体（computer storage media）及び通信媒体（communication media）の両方を含み、或る場所から他の場所へのコンピュータ・プログラムの転送を容易にする任意の媒体を含む。記憶媒体は、コンピュータによってアクセスできる任意の利用可能な媒体であることができる。制限としてではなく例として、そのようなコンピュータ読み取り可能な媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶装置、又は、又は、インストラクション又はデータ構造の形で所望のプログラム・コードを伝達（carry）又は記憶するために使用されることができ且つコンピュータによりアクセスされることができる任意の他の媒体を含むことができる。また、任意のコネクションは、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線及びマイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線及びはマイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）（ＢＤ）を含む。ここで、ディスク（disks）は、通常、磁気的にデータを再生（reproduce）し、ディスク（discs）は、レーザーを使って光学的にデータを
再生する。上記の組み合わせはまた、コンピュータ読み取り可能な媒体の範囲の中に含まれるべきである。
【００２３】
本明細書で説明される様々な技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム及びその他のそのようなシステムのような、様々な無線通信システムのために使用されることができる。用語“システム”及び“ネットワーク”は本明細書でしばしば互換的に使用される。ＣＤＭＡシステムは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及びＣＤＭＡの他の変形を含む。さらに、ＣＤＭＡ２０００は、ＩＳ−２０００、ＩＳ−９５及びＩＳ−８５６標準をカバーする。ＴＤＭＡシステムは、例えばグローバル移動体通信システム（ＧＳＭ（登録商標））のような無線技術を実装することができる。ＯＦＤＭＡシステムは、例えば発展型ＵＴＲＡ（Evolved UTRA）（Ｅ−ＵＴＲＡ）、ウルトラ・モバイル・ブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、Ｆｌａｓｈ−ＯＦＤＭ（登録商標）などのような無線技術を実装することができる。ＵＴＲＡ及びＥＵＴＲＡは、ユニバーサル移動通信システム（ＵＭＴＳ）の一部である。３ＧＰＰロングタームエボリューション（ＬＴＥ）は、Ｅ−ＵＴＲＡを使用する来るリリースであり、それは、ダウンリンク上でＯＦＤＭＡを使用し、アップリンク上でＳＣ−ＦＤＭＡを使用する。ＵＴＲＡ、Ｅ−ＵＴＲＡ、ＵＭＴＳ、ＬＴＥ及びＧＳＭは、“第３世代パートナーシッププロジェクト”（３ＧＰＰ）と言う名前の団体からのドキュメントに記載されている。さらに、ＣＤＭＡ２０００及びＵＭＢは、“第３世代パートナーシッププロジェクト２”（３ＧＰＰ２）という名前の団体からのドキュメントに記載されている。
【００２４】
幾つかのデバイス、コンポーネント、モジュールなどを含むことができるシステムに関して様々な態様が示される。様々なシステムは、更なるデバイス、コンポーネント、モジュールなどを含むことができ、及び／又は、必ずしも図面に関連して述べられたデバイス、コンポーネント、モジュールなどのすべてを含まなくでも良い。また、これらのアプローチの組み合せが使用されることができる。
【００２５】
さて、図面を参照して、図１は、本明細書で説明される様々な態様に従って無線通信システムにおけるそれぞれのエンティティーに関連するＤＲＸ及びページング・サイクルの管理及び調整を容易にするシステム１００を示す。図１が示すように、システム１００は、発展型ＵＭＴＳ（ユニバーサル移動通信システム）地上無線アクセスネットワーク（Evolved UMTS (Universal Mobile Telecommunications System)）（Ｅ−ＵＴＲＡＮ）１１０を含むことができる。それは、１又は複数のシステム・コントローラ、基地局（例えば、アクセスポイント（ＡＰ）、Ｎｏｄｅ Ｂ、発展型Ｎｏｄｅ Ｂ（ｅＮＢ）など）及び／又は１又は複数のユーザ装置ユニット（ＵＥ。本明細書でアクセス端末（ＡＴ）、モバイル端末などとも呼ばれる。）１３０との通信のための他の適したエンティティーを含むことができる。一つの例において、Ｅ−ＵＴＲＡＮ１１０は、ＵＥ１３０及び／又は１４０との１又は複数のダウンリンク（ＤＬ。順方向リンク（ＦＬ）とも呼ばれる。）通信に係わる（engage）ことができ、ＵＥ１３０は、Ｅ−ＵＴＲＡＮ１１０との１又は複数のアップリンク（ＵＬ。逆方向リンク（ＲＬ）とも呼ばれる。））通信に係わることができる。さらに、説明を単純にするために、ただ一つのＵＥ１３０がそれぞれのサブコンポーネント１３２−１３８を含むものとして説明されるが、システム１００における任意の適したＵＥ１３０は、サブコンポーネント１３２−１３８を含むことができ及び／又はさもなければそれらに関連することができることを認識されるべきである。
【００２６】
一つの態様に従って、Ｅ−ＵＴＲＡＮ１１０は、例えば複数のＵＥ１３０間で資源使用状況（resource usage）を調整し、それぞれのＵＥ１３０への及び／又はからの（to and/or from）伝送をスケジューリングし、システム１００中のＵＥ１３０及び／又は他のエンティティーへ送信電力パラメータ及び／又は他の適したパラメータを割り当てることなどによって、システム１００内の通信を管理することができる。一つの例において、Ｅ−ＵＴＲＡＮ１１０は、ＵＥ調整モジュール１１２を含むことができ及び／又はさもなければそれと関連することができる。ＵＥ調整モジュール１１２は、それぞれのＵＥ１３０の管理及び／又は調整を容易にするために利用されることができる。例えば、Ｅ−ＵＴＲＡＮ１１０は、それぞれのＵＥ１３０に関連するページングＤＲＸサイクルに関係するデータを格納し、それぞれの接続モードＤＲＸサイクルをＵＥ１３０に割り当て、及び／又は、ＵＥ１３０の管理及び調整を容易にする任意の他の適した（１又は複数の）機能を実行するために、ＵＥ調整モジュール１１２を利用することができる。
【００２７】
他の態様に従って、ＥＵＴＲＡＮ１１０は、更に、ページング・モジュール１１４を含むことができ及び／又はさもなければ、それに関連することができる。ページング・モジュール１１４は、個別のページ又はページング・メッセージの形で、システム１００中のＵＥ１３０及び／又は他のエンティティーに情報を伝える（communicate）ために、Ｅ−ＵＴＲＡＮ１１０により利用されることができる。一つの例において、ページング・メッセージは、ユニキャスト・メッセージ、マルチキャスト・メッセージ及び／又はブロードキャスト・メッセージとしてデザインされることができ、また、ページング・モジュール１１４により、ページング・チャネル及び／又は任意の他の適したチャネルの上で、１又は複数の指定されたＵＥ１３０に送信されることができる。他の例において、システム１００中のＵＥ１３０は、様々なシステム設定パラメータ（system configuration parameters）、ＵＥ１３０の識別情報及び／又は他の適した情報に応じて（as a function of）、ページング・サイクルに関連付けられることができる。さらに、ＵＥ１３０に関連するページング・サイクルは、ＵＥ１３０によって（例えば、ページング・マネージャ１３２を利用して）、ＵＥ１３０に代わりＥ−ＵＴＲＡＮ１１０によって（例えば、ＵＥ調整モジュール１１２を使用して）、及び／又は、システム１００の任意の他の適したエンティティーによって、独立して（independently）判定されることができる。
【００２８】
一つの例において、所定のＵＥ１３０のためのページング・サイクルが、一旦セットされた再設定（reconfiguration）を制限されるように、所定のＵＥ１３０に関連するページング・サイクルは、システム１００内の静的パラメータとして設定されることができる。例えば、これは、Ｅ−ＵＴＲＡＮ１１０が、所定のページング・サイクルにおいてページング・インジケータをセットすることにより影響を及ぼされるシステム１００におけるそれぞれのＵＥ１３０に対する連続的な知識を有することを確実とするために、なされることができる。他の例において、ページング・サイクルは、所定のＵＥ１３０に関連するＤＲＸサイクルとして設定されることができる。そして、それは、アイドル・モードにある間、Ｅ−ＵＴＲＡＮ１１０からのページング信号を検出するためにＵＥ１３０により利用されることができる。それゆえ、Ｅ−ＵＴＲＡＮ１１０におけるページング・モジュール１１４は、アイドル・モードにある所定のＵＥ１３０のために設定されるページング・サイクルに基づいて、該ページング・サイクルに従って、所定のタイム・インターバル内で、ＵＥ１３０のためにページング伝送を行うことができ、また、ページング・マネージャ１３２及び／又はＵＥ１３０の他の適したモジュールは、該ページング・サイクルにより特定される該インターバルで、Ｅ−ＵＴＲＡＮ１１０からのページング伝送をモニターするように構成されることができる。特定の非限定的な例として、ページング伝送は、物理ダウンリンク制御チャネル（ＰＤＣＣＨ）及び／又はシステム１００に関連する任意の他の適したチャネルの上で行われることができる。さらに、Ｅ−ＵＴＲＡＮ１１０におけるページング・モジュール１１４は、予約されたページング無線ネットワーク一時識別子（Paging Radio Network Temporary Identifier）（Ｐ−ＲＮＴＩ）及び／又は指定された（specified）ＰＤＣＣＨ資源上の他の適したページング・インジケータをセットすることによって、ページング伝送を示すことができる。それに基づいて、ＵＥ１３０におけるページング・マネージャ１３２は、関連するページングＤＲＸサイクル上のページング・インジケータのための指定されたＰＤＣＣＨ資源をモニターすることができる。
【００２９】
他の態様に従って、ＵＥ１３０は、接続モードにおいてオペレートすることができる（例えば、ＲＲＣ＿ＣＯＮＮＥＣＴＥＤ状態により示されるように）。ここで、ＵＥ１３０は、ＵＥ１３０に関連する接続モードＤＲＸサイクルに従って、Ｅ−ＵＴＲＡＮ１１０からスケジュールされたデータを受信することができる。一つの例において、接続モードにある間、ＵＥ１３０に関連するＤＲＸサイクルは、ＵＥ１３０におけるＤＲＸ調整モジュール１３４及び／又はシステム１００中の他の任意の適したエンティティーにより、生成され（derived）、管理され及び／又はさもなければ処理されることができる。非限定的な例として、接続モードにあるＵＥ１３０は、ＤＲＸサイクルを割り当てられることができる。該割り当てられたＤＲＸサイクルにおいて、ＵＥ１３０は、該割り当てられたＤＲＸサイクルにより定義される様々なＤＲＸ時機（DRX occasions）の上でＰＤＣＣＨを復号化し、また、対応する送信及び／又は受信を実行するように、構成されることができる。それゆえ、接続モードにあるＵＥ１３０によりモニターされるＤＲＸ時機は、本明細書で説明されるページング時機（それは、ＵＥ１３０がアイドル・モードでのページング受信のためにＰＤＣＣＨをモニターするように設定されることができる時点に対応している）とは異なるものであることは、認識されることができる。更に特定の非限定的な例として、接続モードにあるＵＥ１３０により実行される通信は、規則的な（regular）インターバルでデータ・バーストを利用するボイス・オーバー・インターネットプロトコル（ＶｏＩＰ）コール及び／又は他の適したアプリケーションに対応することができる。
【００３０】
他の態様に従って、Ｅ−ＵＴＲＡＮ１１０は、加えて又は代わりに、Ｅ−ＵＴＲＡＮ１１０に関連するシステム情報の変更のインジケーションを、Ｅ−ＵＴＲＡＮ１１０にアクセスするそれぞれのＵＥ１３０に提供するために、ページングを利用することができる。一つの例において、システム修正シグナリング・モジュール１１６によりシステム情報変更インジケーションが生成及び／又はさもなければ取得されることができる。システム修正シグナリング・モジュール１１６は、それぞれのＵＥ１３０に１又は複数のページング時機の中でインジケーションを送信するために独立して及び／又はページング・モジュール１１４と協働して動作することができる。
【００３１】
システム情報の変更に関連するページング・メッセージを送信及び処理するために無線通信環境内で利用されることができる例示的な技術が、図２中のシステム２００により示される。一つの態様に従って、関連するシステム情報を修正することを望んでいるＥ−ＵＴＲＡＮ２１０は、それぞれのシステム修正インジケータを生成するために、システム情報修正マネージャ２１２及び／又はＥ−ＵＴＲＡＮ２１０に関連する任意の他の適した（１又は複数の）コンポーネントを利用することができる。次に、インジケータは、ページング・モジュール２１４に提供されることができる。ページング・モジュール２１４は、１又は複数のＵＥ２２０にページング時機内でインジケータを送信するために、Ｅ−ＵＴＲＡＮ２１０のページング機能を利用することができる。一つの例において、システム情報の変更を示すページング時機は、ページング・マネージャ２２４及び／又はＵＥ２２０の他の適したコンポーネントにより検出されることができる。そして、それは、システム情報変更を反映するために、ＵＥ２２０のオペレーションを調整する設定モジュール２２６又は同様のものを、その後に利用することができる。
【００３２】
Ｅ−ＵＴＲＡＮ２１０に関連する１又は複数のパラメータが修正される場合には、Ｅ−ＵＴＲＡＮ２１０にアクセスする実質的にすべてのＵＥ２２０が修正により影響を及ぼされる可能性があることは、認識されることができる。それゆえ、一つの例において、Ｅ−ＵＴＲＡＮ２１０は、Ｅ−ＵＴＲＡＮ２１０によりサービスされるすべてのＵＥ２２０が修正を知らされることを確実とするために、システム２００に関連するすべて又は実質的にすべてのページング・サイクルの上で、修正のインジケータを提供するように構成されることができる。
【００３３】
一つの態様に従って、システム情報変更に関連して実行されることができるページングの例が、図３中のダイアグラム３００により示される。ダイアグラム３００が示すように、ネットワークは、ページング・メッセージがその上でそれぞれ対応するＵＥに送信されるタイム・インターバル（time intervals）を指定するそれぞれのページング・サイクル３１０−３２０に関連付けられることができる。ダイアグラム３００が更に示すように、システム情報の変更が示されるべきときにおいて、すべてのページング・サイクル３１０−３２０に対応するページング・メッセージ３３０が、システム情報変更インジケータを含むように構成されることができる。すべてのページング・サイクル上でシステム情報変更を示すことによって、ページング・サイクルに関係なく、ネットワークに関連するすべてのＵＥにより、変更に関する情報が検出されることができることは、認識されることができる。それゆえ、例えば、ページング・サイクル３１０に関連する第１のＵＥ３４０及びページング・サイクル３２０に関連する第２のＵＥ３５０は、ＵＥ３４０−３５０にそれぞれ関連するページング・サイクル３１０−３２０上で送信されるページング・メッセージに基づいて、システム情報修正を検出することができ、不規則な（irregular）ページング・サイクルに関連する第３のＵＥ３６０は、システム情報変更に関連する通知期間（notification period）の間に、いずれかのページング・サイクル３１０−３２０に関連するページング時機の上でシステム情報修正を検出することができる。
【００３４】
図２に戻って、アイドル・モードでオペレートしているＵＥ２２０は、該ＵＥ２２０のためのページングＤＲＸサイクルに関連する規則的なインターバルでページング時機を検出するために、ダイアグラム３００で示されるようにオペレートすることができることは、認識されることができる。あるいは、ＵＥ２２０は、接続モードでオペレートすることができる。ここで、ＤＲＸ調整器２２２及び／又はＵＥ２２０に関連する他の適したエンティティーは、スケジュールされたデータの通信、制御シグナリング、及び／又は、ＵＥ２２０に関連する接続モードＤＲＸサイクルに従う他の適した情報を、実行（conduct）することができる。一つの例において、ＵＥ ＤＲＸサイクルに従ってスケジュールされた通信を実行することに加えて、接続モードにあるＵＥ２２０は、システム情報修正に関連するページング時機をモニターするために、独立して及び／又はページング・マネージャ２２４と協働して、動作（act）するように構成されることができる。
【００３５】
上記を考慮して、接続モードでオペレートしている所定のＵＥに関連するＵＥ ＤＲＸサイクル４１０及び関連するネットワーク内で利用されるそれぞれのページング・サイクル４２０は、図４中のダイアグラム４００により示されるように、相互作用（interact）することができる。ダイアグラム４００が示するように、接続モードにあるＵＥは、関連するネットワークとの通信のための長さＬＤＲＸのサブフレームを有するＤＲＸサイクル４１０で設定されることができる。一つの例において、ＤＲＸサイクル４１０（ダイアグラム４００中のソリッド領域として示される）のアクティビティーの期間に、ＵＥが、アクティベートし、関連するネットワークからスケジュールされた伝送をリッスンし、その後、ＵＥがアクティブに通信しないインアクティブ又は省電力状態に戻るように、接続モードにあるＵＥは、その関連するＤＲＸサイクル４１０についての知識で設定されることができる。
【００３６】
ダイアグラム４００により更に示されるように、関連するネットワークは、長さLPagingのサブフレームを有する１又は複数のページング・サイクル４２０上でページング時機を提供することができる。システム・パラメータが修正されるべき場合には、ネットワークは、それぞれのページング時機が、ネットワーク全体に及ぶ（network-wide）パラメータが次の修正期間境界で修正されるべきことのインジケーション（例えば、systemInfoModification）を含むように更に構成することができる。一つの例において、そのようなインジケーションは、システム情報修正期間（その期間の間に修正が起こることができ且つその期間の後にネットワークが関連する更新されたシステム・パラメータを送信することができる）において、予め定められた数ｍのページング・サイクルの上で提供されることができる。
【００３７】
他の例において、インジケーションの信頼できる受信を確実にするために、ネットワークに関連するそれぞれのＵＥは、変更インジケーションが提供されるｍページング・サイクルの間、少なくとも予め定められた数ｋのページング時機（例えば、modificationPeriodCoeff）において受信するように設定されることができる（ここで、ｋ≦ｍ）。システム４００は、変更インジケーションがシステム修正期間の終点で提供されることを示すが、変更インジケーションは、システム情報修正期間の（１又は複数の）任意の適した部分において及び／又は１又は複数のシステム修正期間全体を通して、提供されることができることは、認識されるべきである。
【００３８】
一つの例において、ＵＥに関連するＤＲＸサイクル４１０が、ＵＥを所定のサブフレーム・セットにおいて接続モード通信のためにアクティブになるようにするならば、ＵＥは、該サブフレーム・セットにわたって、１又は複数のページング・サイクル４２０に従って送信されるそれぞれのページを更に検出することができる。それゆえ、ダイアグラム４００中に示されるように、ＤＲＸサイクル４１０に従ってオペレートしているＵＥは、例えば、ＤＲＸサイクル４１０により特定される第１，２，４及び５のＤＲＸ時機の間、ページング・サイクル４２０の上でネットワークにより送信されるページを識別することができる。
【００３９】
しかし、所定のＵＥに関連する接続モードＤＲＸサイクル４１０は、通常、ＵＥに関連するアイドル・モードのページング・サイクル４２０に関して判定されず、ＵＥ ＤＲＸサイクル４１０とページングＤＲＸサイクル４２０とは、場合によっては、ＤＲＸ時機とページング時機とが同じ時期に起こらないような構造になる可能性がある。それゆえ、ダイアグラム４００中に示される例として、ＤＲＸサイクル４１０に関連するＵＥが、変更インジケーションが提供されるシステム修正期間の終点の前に、ｍ＝３個のページング・サイクルにおいて、ｋ＞１個のページング時機をリードするべき必要条件（requirement）を有するならば、ＵＥは、場合によっては、少なくとも更なるページング時機を得るために、ＤＲＸサイクル４１０の外側でアクティベートすることを要求される可能性がある。例えば、従来のページング・アプローチの下で、そのようなシナリオにおけるＵＥは、システム情報修正の場合におけるそのアイドル・モードのページング・サイクルと同様に、その関連する接続モードＤＲＸサイクル４１０の上でアクティブままであることを要求される可能性がある。しかし、ＤＲＸサイクル４１０の外側のアクティビティーは、ＵＥがさもなければ省電力モードであるであろうタイムピリオドにおいて起こり、そのようなアプローチは、ページング時機の過度の受信のために、電力効率の損失をもたらす可能性がある。
【００４０】
上記を考慮して、図５は、接続モードでオペレートしているＵＥ５２０のためのＤＲＸ及びページング・アクティビティーの効率的な管理を容易にするために利用されることができるシステム５００を示す。一つの態様に従って、システム５００は、Ｅ−ＵＴＲＡＮ５１０を含むことができる。Ｅ−ＵＴＲＡＮ５１０は、所定のシステム修正期間内で起こるシステム・パラメータの変更のインジケーションを提供するために、システム情報修正シグナリング・モジュール５１２及び／又は任意の他の適した（１又は複数の）コンポーネントを利用する。一つの例において、変更インジケーションは、図４中のダイアグラム４００により示されるそれと同様の方法で、Ｅ−ＵＴＲＡＮ５１０により送信されることができる（ここでは、変更インジケーションが、所定のシステム修正期間内でｍ個のページング時機の上で提供される）。ｍは任意の適した値であることができ、システム修正期間におけるページング時機の総数に比べて、より小さいことも、等しいことも、又は、より大きいこともできる（例えば、ＬＰａｇｉｎｇにより分割されたサブフレームにおけるシステム修正期間の長さにより判定される）ことが、認識されることができる。さらに、任意の適した変更インジケーション（例えば、systemInfoModificationインジケーション及び／又は任意の他の適した（１又は複数の）タイプのインジケーションのような）は、Ｅ−ＵＴＲＡＮ５１０により提供されることができることが、認識されることができる。
【００４１】
他の態様に従って、Ｅ−ＵＴＲＡＮ５１０に関連するＵＥ５２０は、Ｅ−ＵＴＲＡＮ５１０により送信されるそれぞれの変更インジケーションの検出を試みるために、システム情報修正検出モジュール５２２及び／又は任意の他の適したモジュールを利用することができる。そして、それに基づいて、ＵＥ５１０は、システム修正が起こるかどうか判定することができる。一つの例において、ＵＥ５２０は、所定の修正期間の間の少なくとも予め定められた数（例えば、ｋ又はmodificationPeriodCoeff）の回数、systemInfoModificationインジケーション及び／又は他の適した変更インジケーションを検出することを試みることによって、Ｅ−ＵＴＲＡＮ５１０に関連する格納されたシステム情報が有効なままであることを、確認することができる。その後、予め定められた数のインジケーションが検出されないならば、ＵＥ５２０は、システム情報のいかなる変更も次の修正期間境界で起こらないと仮定するように構成されることができる。さもなければ、インジケーションの予め定められた数が検出されるならば、ＵＥ５２０は、次の修正期間でシステム情報の変更のための用意をするように構成されることができる。一つの例において、要求されるインジケーションの数は、Ｅ−ＵＴＲＡＮ５１０、ＵＥ５２０及び／又はシステム５００に関連する任意の他のエンティティーにより設定されることができ、また、変更インジケーションが修正期間において提供される回数の数ｍ以下の任意の適切な値であることができる。
【００４２】
更なる態様に従って、ＵＥ５２０は、接続モード（例えば、ＲＲＣ＿ＣＯＮＮＥＣＴＥＤ）においてＵＥ５２０のＤＲＸアクティビティーを管理するためのＤＲＸ調整器５２４及び／又は任意の他の適した（１又は複数の）モジュールを更に含むことができる。一つの例において、ＤＲＸ調整器５２４は、ダイアグラム４００に関して先に述べられたように、ＤＲＸサイクルに従ったＥ−ＵＴＲＡＮ５１０からのデータ、制御シグナリング及び／又は他の適した情報の受信を、管理することができる。しかし、ダイアグラム４００に関して上で更に説明されたように、接続モードＤＲＸサイクルとページングＤＲＸサイクルとの間のタイミングの相違は、ＵＥ５２０がかなりの量の不必要なアウェイク期間及び幾つかのケースにおいて結果として生じる電力効率損失を招く原因になる可能性がある。
【００４３】
したがって、ＵＥ５２０は、スケジュール修正器５２６を更に含むことができる。スケジュール修正器５２６は、ＵＥ５２０が、ＵＥ５２０の電力効率を最適化するために、ページング受信のそのスケジュールを変更（alter）するのを可能にすることができる。一つの例において、スケジュール修正器５２６は、ＵＥ５２０が接続モードＤＲＸのためにアクティブである間にモニターされるページング時機の数を最大にするために、接続モードにある間に、ＵＥ５２０に関連するページング・スケジュールを調整することができ、それによって、ＵＥ５２０が特にページング時機をモニターするために更なるウェイクアップ期間を負担しなければならないことが発生する数を最小化する。それゆえ、ＵＥ５２０がそのＤＲＸ時機とそのページング時機の両方について独立してウェイクアップすることを強いられることなく、システム情報変更の任意のインジケーションを確実に受信するように、スケジュール修正器５２６がＵＥ５２０の動作（behavior）を最適化することができることは、認識されることができる。
【００４４】
例として、スケジュール修正器５２６は、所定のシステム修正期間におけるｍ個の変更インジケーション・ページの中からの要求される数ｋ個のページの受信を容易にするために、接続モードにおけるＵＥ５２０の受信スケジュールを修正するための一方的な（unilateral）判定を以下の方法で容易にすることができる。第１に、所定の修正期間において変更インジケーションを提供するために利用されるｍ個のページング時機の一つである、ＵＥ５２０に関連するＤＲＸウェイクアップ期間の間に、スケジュールされた任意のページング時機のモニタリングが実行されるように、スケジュール修正器５２６は、ＵＥ５２０のＤＲＸサイクルを解析し、ＵＥ５２０を設定することができる。それゆえ、少なくとも要求された数ｋのページング時機がこの基準を満たすならば、変更通知の十分な受信が、更なるアクションを要求することなく、満たされることができることは、認識されることができる。あるいは、ＵＥ５２０のＤＲＸサイクルが、ＵＥ５２０を修正期間における少なくともｋ個のページング時機についてアクティブであるようにさせないならば、スケジュール修正器５２６は、ＵＥ５２０が（例えば、物理ダウンリンク制御チャネル（ＰＤＣＣＨ）の上での）受信を容易にするためにアクティベートされることができる１又は複数の更なるページング時機の選択を容易にすることができる。
【００４５】
スケジュール修正器５２６により実行されることができるそのような選択の様々な例が、図６中のダイアグラム６００により示される。ダイアグラム６００が示すように、一組のＵＥ６４０−６５０は、ＤＲＸ時機が起こることができる共通のＵＥ ＤＲＸサイクル６１０及びページング時機が起こることができる共通のページング・サイクル６２０で構成されることができる。さらに、第２のページング・サイクル６３０は、ＵＥ６４０−６５０に関連するページング・サイクル６２０から異なるタイム・インターバルにおけるページング時機を伝達するために、関連するネットワークにより利用されることができる。
【００４６】
ダイアグラム６００により示される例において、ＵＥ ＤＲＸサイクル６１０とページングＤＲＸサイクル６２０は、図示されたタイムピリオドにおいて３つのポイントで同時に起こる（coincide）。それゆえ、ＵＥ６４０−６５０は、ＵＥ６４０−６５０がＵＥ ＤＲＸサイクル６１０のためにアクティブである時間に起こるページングＤＲＸサイクル６２０において３つのページング時機をモニターするように構成されることができる。しかし、４つのページング時機の受信が要求される例示的なシナリオにおいて、ＵＥ６４０−６５０は、図示される様々な方法でモニターするために、更なるページングを選択することができる。ＵＥ６４０により示される第１の例において、ＵＥは、少なくともｋ個のページング時機がモニターされるまで、それらがＤＲＸ期間の外側で起こる、その規則的なアイドル・モードのページング時機のために、ウェイクアップするように構成されることができる。それゆえ、図示されるように、ＵＥ６４０は、それ自身の規則的なアイドル・モード・ページング時機の任意のものから、その第４の要求されるページング時機を得ることができる。ＵＥ６５０により図示される第２の例において、ＵＥは、その代わりに、ＤＲＸウェイクアップ期間の後の次のページング時機のために及び／又は続けて幾つかのページング時機の受信のために、ウェイク状態のままでいるように構成されることができる。それゆえ、図示されるように、ＵＥ６５０は、ＵＥ６５０に関連しないページング・サイクル６３０にあたる直ぐ次のページング時機まで、そのＤＲＸウェイクアップ期間の任意のものを拡張することによって、その第４の要求されるページング時機を得ることができる。
【００４７】
次に図７に移って、様々な態様に従って無線デバイスのページング・パラメータを設定するための例示的な技術を示すタイミングチャート７００が提供される。特に、タイミングチャート７００は、ＵＥのそれぞれのページング・パラメータの設定を容易にするために、ＵＥと関連するＥ−ＵＴＲＡＮとの間で実行されることができる一連のアクトを示す。一つの例において、ＵＥは、場合によって、修正期間におけるページング時機の総数に比べてより少ないページング時機をモニターすることを選択することができる。これは、ダイアグラム６００により示される。ここで、長さｍ＝５のページングＤＲＸサイクルの修正前ウインドウ（pre-modification window）の間、６４０−６５０ＵＥは、ｋ＝４個のページング時機だけをモニターするように構成される。
【００４８】
この最適化を容易にするために、一つの態様に従って、Ｅ−ＵＴＲＡＮは、ページング時機のためのＵＥモニタリングの前に、パラメータｋ，ｍ及び／又は１又は複数の他の適したパラメータを、関連するＵＥにシグナルすることができる。より詳しくは、Ｅ−ＵＴＲＡＮは、時刻７０２において示されるように、ＵＥの設定を開始することができる。ここで、システム情報が、Ｅ−ＵＴＲＡＮからＵＥへシグナルされる。一つの例において、ｍの値（例えば、Ｅ−ＵＴＲＡＮが次回の変更を示す予定である修正期間より前の期間）は、システム全体に及ぶ（system-wide）ものであることができ、時刻７０２に示されるように、システム情報の一部としてシグナルされることができる。時刻７０２に更に示されるように、ｋの値は、システム全体に及ぶものであることができ、システム情報としてシグナルされることができる。あるいは、ｋは、ＵＥごとに設定されることができ、また、少なくとも一部の関連するＵＥのために専用のシグナリングを使用してそれぞれのＵＥに送信されることができる。
【００４９】
他の態様に従って、時刻７０２においてｋとｍに関するパラメータを受信すると、そのようなパラメータを受信しているＵＥは、時刻７０４において接続モードに遷移することができる。その後、時刻７１２において、ＵＥは、関連する修正期間の最後のｍ個のページングＤＲＸサイクルの間、それ自身が選択する少なくともｋ個のページング時機をモニターすることができる。一般に本明細書で説明されるように、時刻７１２のモニタリングは、任意の適したモニタリング技術に従って発生することができる。
【００５０】
他の例において、Ｅ−ＵＴＲＡＮは、時刻７０２−７０４及び７１２に示される基本的な設定及びモニタリング・オペレーションに加えて、１又は複数の時刻７０６−７１０において示される所定のＵＥのオプションの再設定を容易にすることができる。例えば、時刻７０４に示される接続モードへのＵＥによる遷移に応じて、関連するＥ−ＵＴＲＡＮは、時刻７０６においてＵＥに関連するＤＲＸサイクルを再設定することができる。例えば、時刻７０６において、Ｅ−ＵＴＲＡＮは、時刻７０６において、再設定の下で、特定のＵＥに関して、ｋ，ｍ及び／又は１又は複数の他のパラメータの値を更に再設定することができる。特定の例として、Ｅ−ＵＴＲＡＮは、ＵＥのモニタリング必要条件を緩和するために、時刻７０６において、所定のＵＥについてｋを再設定することができる。加えて及び／又は代わりに、ＵＥの無線状態がページング・カバレージ及び／又は他の要因に影響を及ぼす程度に変化することが判定される場合には（例えば、時刻７０８に示されるように）、Ｅ−ＵＴＲＡＮは、無線状態の変化を考慮して、時刻７１０において、ＵＥにより利用されるｋ及び／又は任意の他のページング・パラメータの再設定を容易にすることができる。一つの例において、リアルタイムで、時刻７０８−７１０で示されるように、Ｅ−ＵＴＲＡＮは、ＵＥの無線状況をモニターし、適切な再設定を実行するように構成されることができる。
【００５１】
次に図８を参照して、様々な態様に従ってページング及びＤＲＸサイクル間のネットワーク・ベースの調整を容易にするシステムが説明される。一つの態様に従って、ＵＥ８２０が、システム情報の変更に関連する適したページング時機をモニターするように構成されていない及び／又はさもなければそれができるように構成されていないネットワーク実装において、ＵＥ８２０に関連するＥ−ＵＴＲＡＮ８１０は、ＵＥに関連するページング時機のかなりの部分が、ＵＥ８２０に関連するＤＲＸ時機の間、受信されることができるようにするために、ＵＥ８２０に関連するページング・サイクルの発生を、そのＤＲＸサイクルに同期させるように構成されることができる。一つの例において、上記の同期は、ＵＥ管理モジュール８１２、ＤＲＸ調整器８１４及び／又は任意の他の適した（１又は複数の）コンポーネントを使用してＥ−ＵＴＲＡＮ８１０により実行されることができる。例えば、ＵＥ管理モジュール８１２は、所定のＵＥ８２０のページング・サイクルに関係する情報を取得するために利用されることができる。前記情報に基づいて、ＤＲＸ調整器８１４は、ＵＥ８２０のページング・サイクルに共鳴する（resonates）ＤＲＸサイクルを、ＵＥ８２０に割り当てるために、利用されることができる。
【００５２】
例として、ＤＲＸ調整器８１４は、所定のＵＥ８２０のためのＤＲＸサイクルを導き出すために、以下の方法でオペレートすることができる。まず最初に、ＤＲＸサイクルの継続期間は、所定のサブフレームのセット（それは、以下を満たすサブフレームのセットにより定義されることができる。）で始まるように設定されることができることが認められる：  
［（ＳＦＮ×１０）＋サブフレーム番号］ ｍｏｄ （現在のＤＲＸサイクル）＝ＤＲＸスタート・オフセット  
ここで、ＳＦＮはシステム・フレーム番号を示す。  
さらに、所定のページング時機が、以下の式を満たすＳＦＮを有する所定の無線フレーム（例えば、ページング・フレーム）で起こることができることが認められる：  
ＳＦＮ mod Ｔ＝（Ｔ／Ｎ）×（ＵＥ＿ＩＤ ｍｏｄ Ｎ）  
ここで、Ｔは、無線フレームにおけるページング・サイクルの長さ（例えば、３２，６４，１２８，２５６，．．．）であり、Ｎは、無線フレーム・レベル上のページング・グループ・カウント（Paging Group Count）（例えば、２，４，８，１６，…（ここで、Ｎ≦Ｔ））であり、ＵＥ＿ＩＤは、ＵＥ８２０の識別子である。  
加えて、ページング・フレームの中で、ページング時機を含んでいるサブフレームisが、以下の通りに導かれることができることが認められる：  
ｉｓ＝（ＵＥ＿ＩＤ／Ｎ） ＭＯＤ Ｎｓ  
ここで、Ｎｓは、所定の無線フレーム（例えば、１，２，３，４、．．．）において利用されるページング時機の数のインジケータである。
【００５３】
したがって、ＵＥ８２０のＤＲＸとページング・サイクルとを位置合わせ（align）するために、ＤＲＸ調整器８１４は、ＤＲＸサイクルのＤＲＸスタート・オフセットが、ＵＥ８２０のページングＤＲＸサイクルがアイドル・モードで開始するであろうフレーム境界からのオフセットに等しくなるように（例えば、ＤＲＸスタート・オフセット＝ｉｓになるように）、ＵＥ８２０のＤＲＸサイクルをセットすることができる。加えて又は代わりに、ＤＲＸ調整器８１４は、ＤＲＸサイクルの長さを、ＵＥ８２０のためのページング・サイクルの長さＴの倍数（例えば、３２０ｍｓ）であるように又は分割（divide）するように、セットすることができる。上記の１又は複数のオペレーションを実行することによって、ＤＲＸ調整器８１４が、ＵＥ８２０のＤＲＸとページング・サイクルとを同期させることができ、それによって、修正期間の間にページング及びＤＲＸ情報をモニターする際にＵＥ８２０により要求されるウェイク時間を最小化することができることは認識されることができる。
【００５４】
さて、図９−１２を参照して、本明細書で説明される様々な態様に従って実行されることができる手順が説明される。説明を簡単にする目的で、手順が一連の動作として図示され説明されるが、手順は、動作の順序により制限されるものではなく、いくつかの動作が、１又は複数の態様に従って、本明細書で図示され説明される順序とは異なる順序で及び／又は他の動作と同時に、発生しても良いことは、理解（understood）及び認識（appreciated）されるべきである。例えば、手順が、代わりに、例えば状態図（state diagram）のように、一連の相互に関連のある状態又はイベントとして、表現できるであろうことは、当業者は理解（understand）及び認識（appreciate）するであろう。さらに、１又は複数の態様に従う手順を実装するために、必ずしも説明されたすべての動作が要求されなくても良い。
【００５５】
図９を参照して、システム情報修正期間の間にページング及びＤＲＸオペレーションを調整するための手順９００が説明される。手順９００が、例えば、ＵＥ（例えば、ＵＥ５２０）及び／又は任意の他の適切なネットワーク・デバイスにより実行されることができることは、認識されるべきである。手順９００は、ブロック９０２から始まり、ここでは、修正期間の間に、モニターされるページング時機の最小数（例えば、修正期間におけるシステム情報変更のインジケーションを提供するｍ個の中の数ｋ又はmodificationPeriodCoeff個のページング時機）が、識別される。次に、ブロック９０４において、修正期間の間に利用されるＤＲＸサイクルが、識別される。それから、手順９００は、ブロック９０６で終了することができる。ここでは、ブロック９０２で識別される最小数のページング時機がモニターされるように且つブロック９０４で識別されるＤＲＸサイクルの外側でページング時機をモニターするためのウェイクアップ期間が最小化されるように、修正期間におけるそれぞれのページング時機が、モニタリングのために選択される（例えば、ＤＲＸ調整器５２４及び／又はスケジュール修正器５２６によって）。
【００５６】
図１０に戻って、設定シグナリングに基づいてページング・サイクルとＤＲＸサイクルとの間の相互関係を管理するための手順１０００が示される。  例えば、手順１０００は、モバイル端末及び／又は任意の他の適したネットワークエンティティーにより実行されることができる。手順１０００は、ブロック１００２から始まり、ここでは、システム情報の変更のインジケーションを提供する修正期間におけるページの数（例えば、ｍ）及び修正期間内にリードされるインジケーションの最小数（例えば、ｋ又はmodificationPeriodCoeff）に関係するパラメータが、ネットワーク（例えば、Ｅ−ＵＴＲＡ５１０）から受信される。次に、ブロック１００４において、接続モード通信（例えば、ＲＲＣ＿ＣＯＮＮＥＣＴＥＤ状態に関連する）が、初期化される。ブロック１００６において、ブロック１００４で初期化される接続モード通信のために利用されるＤＲＸサイクルが、識別される。一つの例において、ＤＲＸサイクルは、関連するネットワークからシグナルされる情報に基づいて及び／又は任意の他の適した（１又は複数の）技術に基づいて、手順１０００を実行しているエンティティーによって独立してブロック１００６で識別されることができる。
【００５７】
それから、手順１０００は、ブロック１００８に進むことができる。ここでは、ブロック１００６で識別されるＤＲＸサイクルと同じ時期に起こる（coincide）所定の修正期間の間にそれぞれの変更インジケーションを提供する１又は複数のページが、モニタリングのために選択される。それから、ブロック１０１０において、ブロック１００８で選択されるページが、ブロック１００２でネットワークにより提供されるインジケーションの最小数を満たすのに十分かどうかが、判定される。ブロック１００８で選択されるページの数が十分であるならば、いかなる更なる行動も必要でなく、手順１０００は終了することができる。さもなければ、手順１０００は、終了の前のブロック１０１２に進むことができる。ここでは、ブロック１００２で提供された最小数のインジケーションがリードされることができるように、１又は複数の更なるページが選択される。特定の例として、ブロック１００６で識別されるＤＲＸサイクルの外側にある更なるページは、識別されたＤＲＸサイクルから更なるウェイクアップ期間を負担することによって、ＤＲＸサイクルに関連するウェイクアップ期間を延長することによって、及び／又は、任意の他の適切な（１又は複数の）技術を使用することによって、ダイアグラム６００に示されるようにリードされることができる。
【００５８】
図１１は、無線通信ネットワークに関連するシステム情報の有効性を評価するために、手順１１００を示す。例えば、手順１１００は、ＵＥ及び／又は任意の他の適したネットワーク・デバイスにより実行されることができる。手順１１００は、ブロック１１０２から始まり、ここでは、所定の修正期間におけるシステム情報の変更に関連するsystemInfoModification通知の量に対応する数modificationPeriodCoeffが得られる。次に、ブロック１１０４において、修正期間境界が検出される。それから、ブロック１１０６において、ページング・メッセージが、ブロック１１０４で境界が検出された修正期間において受信されるかどうかが、判定される。ページング・メッセージが受信されないならば、手順１１００を実行しているエンティティーは、ブロック１１１０に示されるように、その現在格納されているシステム情報が有効なままであることを仮定することができ、手順１１００を終了する。さもなければ、手順１１００は、ブロック１１０８に進むことができる。ここでは、修正期間に受信されるページング・メッセージにおいて、systemInfoModification信号が、少なくともmodificationPeriodCoeff回出現するかどうかが判定される。そのようなインジケーションが存在しないならば、手順１１００は、ブロック１１１０に進むことができ、先に述べたように終了することができる。これに対して、そのような修正が受信されるならば、手順１１００は、その代わりに、終了の前のブロック１１１２に進むことができる。ここでは、次の修正期間において変更されるシステム情報を受信するための用意がなされる。
【００５９】
次に、図１２を参照して、無線端末に関連するＤＲＸサイクルを構築するための手順１２００が説明される。手順１２００は、例えば、アクセスポイント（例えば、Ｅ−ＵＴＲＡＮ８１０に関連する）及び／又は任意の他の適切なネットワーク・デバイスにより実行されることができることは、認識されるべきである。手順１２００は、ブロック１２０２から始まり、ここでは、端末（例えば、ＵＥ８２０）に関連するページング・サイクルが、識別される（例えば、ＵＥ管理モジュール８１２により）。それから、手順１２００は、ブロック１２０２に進むことができ、ここでは、ページング・サイクルの長さ（例えば、Ｔ）が判定され、そして、１２０４ブロックに進むことができ、ここでは、ページング・サイクルに関連するサブフレーム・オフセット（例えば、ｉｓ）が識別される。それから、手順１２００は、ブロック１２０８で終わることができる。ここでは、ＤＲＸサイクルのスタート・オフセットが、ページング・サイクルのサブフレーム・オフセットに等しくなるように、且つ、ＤＲＸサイクルの長さが、ページング・サイクルの長さの倍数であるように又は分割するように、端末のためにＤＲＸサイクルが生成される（例えば、ＤＲＸ調整器８１４によって）。
【００６０】
図１３は、無線通信システムにおけるＤＲＸ及びページング・オペレーションの調整を容易にする装置１３００を示す。装置１３００は、機能ブロック（それは、プロセッサ、ソフトウェア又はそれらの組み合せ（例えば、ファームウェア）により実装される機能を表す機能ブロックであることができる）を含むものとして表されることは認識されるべきである。装置１３００は、無線端末（例えば、ＵＥ５２０）及び／又は任意の他の適したネットワーク・デバイスにより実装されることができる。また、装置１３００は、修正期間においてリードされるべきそれぞれの変更インジケーションを含むページの最小数を識別するためのモジュール１３０２、ＤＲＸサイクルを設定するためのモジュール１３０４、及び、それぞれの変更インジケーションを含む最小数のページがリード可能であり且つＤＲＸサイクルの外側の受信機アクティビティーが最小化されるように、修正期間においてモニターするページを選択するためのモジュール１３０６を含むことができる。
【００６１】
図１４は、無線通信システムにおけるＤＲＸ及びページング・オペレーションの調整を容易にする他の装置１４００を説明する。装置１４００は、機能ブロック（それは、プロセッサ、ソフトウェア又はそれらの組み合せ（例えば、ファームウェア）により実装される機能を表す機能ブロックであることができる）を含むものとして表されることは認識されるべきである。装置１４００は、ｅＮＢ（例えば、Ｅ−ＵＴＲＡＮ８１０に関連する）及び／又は任意の他の適したネットワーク・デバイスにより実装されることができる。また、装置１４００は、それぞれのページング時機を含むＵＥページング・サイクルを識別するためのモジュール１４０２、ＵＥページング・サイクルに対応する長さ及びオフセットを識別するためのモジュール１４０４、及び、ＵＥページング・サイクルに対応する長さ及びオフセットに少なくとも部分的に基づいて、ＵＥページング・サイクルにおけるページング時機と少なくとも部分的に同じ時期に起こるそれぞれのＤＲＸ時機を含むようにＤＲＸサイクルを設定するためのモジュール１４０６を含むことができる。
【００６２】
図１５は、本明細書で説明される機能性の様々な態様を実装するために利用されることができるシステム１５００のブロック図である。一つの例において、システム１５００は、基地局又はＮｏｄｅ Ｂ １５０２を含む。図示されるように、Ｎｏｄｅ Ｂ １５０２は、１又は複数の受信（Ｒｘ）アンテナ１５０６を介して１又は複数のＵＥ１５０４から（１又は複数の）信号を受信することができ、また、１又は複数の送信（Ｔｘ）アンテナ１５０８を介して１又は複数のＵＥ１５０４に送信することができる。さらに、Ｎｏｄｅ Ｂ １５０２は、（１又は複数の）受信アンテナ１５０６から情報を受信する受信機１５１０を含むことができる。一つの例において、受信機１５１０は、受信された情報を復調する復調器（Ｄｅｍｏｄ）１５１２と有効に(動作可能なように、operatively）関連することができる。それから、復調されたシンボルは、プロセッサ１５１４により解析されることができる。プロセッサ１５１４は、メモリ１５１６に接続されることができる。メモリ１５１６は、コード・クラスターに関係する情報、アクセス端末割り当て、それに関係するルックアップテーブル、固有スクランブリング・シーケンス、及び／又は他の適したタイプの情報を格納することができる。さらに、Ｎｏｄｅ Ｂ １５０２は、手順１２００及び／又は他の類似する適切な手順を実行するために、プロセッサ１５１４を使用することができる。一つの例において、Ｎｏｄｅ Ｂ １５０２はまた、（１又は複数の）送信アンテナ１５０８を通した送信機１５２０による送信のための信号を多重化することができる変調器１５１８を含むことができる。
【００６３】
図１６は、本明細書で説明される機能性の様々な態様を実装するために利用されることができる他のシステム１６００のブロック図である。一つの例において、システム１６００は、モバイル端末１６０２を含む。図示されるように、モバイル端末１６０２は、１又は複数の基地局１６０４から（１又は複数の）信号を受信することができ、また、１又は複数のアンテナ１６０８を介して１又は複数の基地局に１６０４を送信することができる。さらに、モバイル端末１６０２は、（１又は複数の）アンテナ１６０８から情報を受信する受信機１６１０を含むことができる。一つの例において、受信機１６１０は、受信された情報を復調する復調器（Ｄｅｍｏｄ）１６１２と有効に関連することができる。それから、復調されたシンボルは、プロセッサ１６１４により解析されることができる。プロセッサ１６１４は、メモリ１６１６に接続することができる。メモリ１６１６は、モバイル端末１６０２に関係するデータ及び／又はプログラム・コードを格納することができる。さらに、モバイル端末１６０２は、手順９００−１１００及び／又は他の類似する適切な手順を実行するために、プロセッサ１６１４を使用することができる。モバイル端末１６０２はまた、（１又は複数の）アンテナ１６０８を通した送信機１６２０による送信のための信号を多重化することができる変調器１６１８を含むことができる。
【００６４】
さて、図１７を参照して、様々な態様に従って無線マルチアクセス通信システムの説明図が提供される。一つの例において、アクセスポイント１７００（ＡＰ）は、複数のアンテナ・グループを含む。図１７中に示されるように、一つのアンテナ・グループは、アンテナ１７０４と１７０６を含むことができ、もう一つのアンテナ・グループは、アンテナ１７０８と１７１０を含むことができ、そして、もう一つのアンテナ・グループは、アンテナ１７１２と１７１４を含むことができる。図１７では各々のアンテナ・グループについて２つのアンテナだけが示されるが、各々のアンテナ・グループについて、より多くのアンテナが使用されても良く、より少ないアンテナが使用されても良いことは、認識されるべきである。他の例において、アクセス端末１７１６は、アンテナ１７１２及び１７１４と通信することが可能である。ここで、アンテナ１７１２及び１７１４は、順方向リンク１７２０上でアクセス端末１７１６に情報を送信し、逆方向リンク１７１８上でアクセス端末１７１６から情報を受信する。加えて及び／又は代わりに、アクセス端末１７２２は、アンテナ１７０６及び１７０８通信することが可能である。ここで、アンテナ１７０６及び１７０８は、順方向リンク１７２６上でアクセス端末１７２２に情報を送信し、逆方向リンク１７２４上でアクセス端末１７２２から情報を受信する。周波数分割双方向システムにおいて、通信リンク１７１８，１７２０，１７２４及び１７２６は、通信のために異なる周波数を使用することができる。例えば、順方向リンク１７２０は、逆方向リンク１７１８により使用される周波数とは異なる周波数を使用しても良い。
【００６５】
各々のアンテナ・グループ及び／又はそれらが通信するようにデザインされているエリアは、アクセスポイントのセクターと呼ばれることができる。一つの態様に従って、アンテナ・グループは、アクセスポイント１７００によりカバーされるエリアのセクターにおいてアクセス端末に通信するようにデザインされることができる。順方向リンク１７２０及び１７２６上の通信において、アクセスポイント１７００の送信アンテナは、異なるアクセス端末１７１７及び１７２２に関する順方向リンクの信号対雑音比を改善するために、ビームフォーミングを利用することができる。また、そのカバレージ全体にわたってランダムに散在するアクセス端末に送信するためにビームフォーミングを使用するアクセスポイントは、すべてのそのアクセス端末にシングルアンテナを通して送信するアクセスポイントに比べて、近隣のセル中のアクセス端末に対して、より少ない干渉をもたらす。
【００６６】
アクセスポイント（例えば、アクセスポイント１７００）は、端末と通信するために使用される固定局であることができる。アクセスポイントはまた、基地局、ｅＮＢ、アクセスネットワークと呼ばれることができ、及び／又は、他の適した用語で呼ばれることができる。さらに、アクセス端末（例えば、アクセス端末１７１６又は１７２２）はまた、モバイル端末、ユーザ装置、無線通信デバイス、端末、無線端末と呼ばれることができ、及び／又は、他の適切な用語で呼ばれることができる。
【００６７】
さて、図１８を参照して、本明細書で説明される様々な態様が機能することができる例示的な無線通信システム１８００を示すブロック図が提供される。一つの例において、システム１８００は、送信機システム１８１０及び受信機システム１８５０を含む多重入力多重出力（ＭＩＭＯ）システムである。しかし、送信機システム１８１０及び／又は受信機システム１８５０はまた、多重入力単一出力システム（例えば、（例えば、基地局上の）複数の送信アンテナが、シングルアンテナのデバイス（例えば、モバイル局）に対して、１又は複数のシンボル・ストリームを送信することができる。）に適用できるであろうことは認識されるべきである。さらに、本明細書で説明される送信機システム１８１０及び／又は受信機システム１８５０の態様が、単一入力単一出力アンテナ・システムとともに利用できるであろうことは理解されるべきである。
【００６８】
一つの態様に従って、幾つかのデータストリームのためのトラフィック・データは、送信機システム１８１０において、データソース１８１２から送信（ＴＸ）データプロセッサ１８１４に提供される。一つの例において、それから、各々のデータストリームは、それぞれの送信アンテナ１８２４を介して送信されることができる。さらに、ＴＸデータプロセッサ１８１４は、符号化されたデータを提供するために、それぞれのデータストリームごとに選択された特定の符号化スキームに基づいて、各々のデータストリームのためのトラフィック・データを、フォーマットし、符号化し、インターリーブすることができる。一つの例において、それから、各々のデータストリームのための符号化されたデータは、ＯＦＤＭ技術を使用して、パイロット・データとともに多重化されることができる。パイロット・データは、例えば、既知の方法で処理される既知のデータ・パターンであることができる。さらに、パイロット・データは、チャネル・レスポンスを推定するために、受信機システム１８５０において使用されることができる。送信機システム１８１０に戻って、各々のデータストリームのための多重化されたパイロット及び符号化データは、変調シンボルを提供するために、それぞれのデータストリームごとに選択された特定の変調スキーム（例えば、ＢＰＳＫ、ＱＳＰＫ、Ｍ−ＰＳＫ又はＭ−ＱＡＭ）に基づいて、変調（すなわち、シンボルマッピング）されることができる。一つの例において、各々のデータストリームのためのデータレート、符号化及び変調は、プロセッサ１８３０により実行及び／又は提供されてインストラクションにより判定されることができる。
【００６９】
次に、すべてのデータストリームのための変調シンボルは、ＴＸプロセッサ１８２０に対して提供されることができる。ＴＸプロセッサ１８２０は、変調シンボルを更に処理することができる（例えば、ＯＦＤＭについて）。それから、ＴＸ ＭＩＭＯプロセッサ１８２０は、ＮＴ個の変調シンボル・ストリームをＮＴ個の送受信機１８２２ａ〜１８２２ｔに提供することができる。一つの例において、各々の送受信機１８２２は、１又は複数のアナログ信号を提供するために、それぞれのシンボル・ストリームを受信及び処理することができる。それから、各々の送受信機１８２２は、更に、ＭＩＭＯチャネル上の伝送に適した変調信号を提供するために、アナログ信号を調整（例えば、増幅、フィルタリング及びアップコンバート）することができる。したがって、それから、送受信機１８２２ａ〜１８２２ｔからのＮＴ個の変調信号は、それぞれ、ＮＴ個のアンテナ１８２４ａ〜１８２４ｔから送信されることができる。
【００７０】
他の態様に従って、送信された変調信号は、受信機システム１８５０において、ＮＲ個のアンテナ１８５２ａ〜１８５２ｒにより受信されることができる。それから、各々のアンテナ１８５２からの受信信号は、それぞれの送受信機１８５４に提供されることができる。一つの例において、各々の送受信機１８５４は、それぞれの受信信号を、調整（例えば、フィルタリング、増幅及びダウンコンバート）し、サンプルを提供するために、該調整された信号をデジタイズし、そして、対応する“受信（received）”シンボル・ストリームを提供するために、該サンプルを処理することができる。それから、ＲＸ ＭＩＭＯ／データプロセッサ１８６０は、ＮＴ個の“検出（detected）”シンボル・ストリームを提供するために、特定の受信機処理技術に基づいて、ＮＲ個の送受信機１８５４からＮＲ個の受信シンボル・ストリームを受信及び処理することができる。一つの例において、各々の検出シンボル・ストリームは、対応するデータストリームのために送信される変調シンボルの推定であるシンボルを含むことができる。それから、ＲＸプロセッサ１８６０は、対応するデータストリームのためのトラフィック・データをリカバーするために、各々の検出シンボル・ストリームを復調し、デインターリーブし、復号化することに、少なくとも部分的によって、各々のシンボル・ストリームを処理することができる。それゆえ、ＲＸプロセッサ１８６０による処理は、送信機システム１８１０におけるＴＸ ＭＩＭＯプロセッサ１８２０及びＴＸデータプロセッサ１８１６により実行される処理と相補的であることができる。ＲＸプロセッサ１８６０は、更に、処理されたシンボル・ストリームを、データシンク１８６４に提供することができる
一つの態様に従って、ＲＸプロセッサ１８６０により生成されるチャネル・レスポンス推定は、受信機における空間／時間処理の実行、電力レベルの調整、変調レート又はスキームの変更、及び／又は他の適切なアクションのために使用されることができる。さらに、ＲＸプロセッサ１８６０は、更に、チャネル特性（例えば、検出シンボル・ストリームの雑音対信号干渉比（ＳＮＲ））を推定することができる。それから、ＲＸプロセッサ１８６０は、推定されたチャネル特性を、プロセッサ１８７０に提供することができる。一つの例において、ＲＸプロセッサ１８６０及び／又はプロセッサ１８７０は、更に、システムのための“動作（operating）”ＳＮＲの推定を導くことができる。それから、プロセッサ１８７０は、チャネル状態情報（ＣＳＩ）を提供することができる。チャネル状態情報（ＣＳＩ）は、通信リンク及び／又は受信データストリームに関する情報を含むことができる。この情報は、例えば、動作ＳＮＲを含むことができる。それから、ＣＳＩは、ＴＸデータプロセッサ１８１８により処理され、変調器１８８０により変調され、送受信機１８５４ａ〜１８５４ｒにより調整され、そして、もとの送信機システム１８１０へ送信されることができる。その上、受信機システム１８５０のデータソース１８１６は、ＴＸデータプロセッサ１８１８により処理されるべき更なるデータを提供することができる。
【００７１】
送信機システム１８１０に戻って、次に、受信機システム１８５０からの変調信号は、アンテナ１８２４により受信され、送受信機１８２２により調整され、復調器１８４０により復調され、受信機システム１８５０によりレポートされるＣＳＩをリカバーするために、ＲＸデータプロセッサ１８４２により処理されることができる。一つの例において、それから、レポートされたＣＳＩは、プロセッサ１８３０に提供され、１又は複数のデータストリームのために使用される符号化及び変調スキームだけでなくデータレートを判定するために、使用されることができる。それから、判定された符号化及び変調スキームは、量子化及び／又は受信機システム１８５０への後の伝送における使用のために、送受信機１８２２に提供されることができる。加えて及び／又は代わりに、レポートされたＣＳＩは、ＴＸデータプロセッサ１８１４及びＴＸ ＭＩＭＯプロセッサ１８２０のために様々な制御を生成するために、プロセッサ１８３０により使用されることができる。他の例において、ＲＸデータプロセッサ１８４２により処理されるＣＳＩ及び／又は他の情報は、データシンク１８４４に提供されることができる。
【００７２】
一つの例において、送信機システム１８１０におけるプロセッサ１８３０及び受信機システム１８５０におけるプロセッサ１８７０は、それらのそれぞれのシステムにおけるオペレーションを指示する。その上、送信機システム１８１０におけるメモリ１８３２及び受信機システム１８５０におけるメモリ１８７２は、それぞれ、プロセッサ１８３０及び１８７０により使用されるプログラム・コード及びデータのためのストレージを提供することができる。さらに、受信機システム１８５０において、ＮＴ個の送信されたシンボル・ストリームを検出するためにＮＲ個の受信信号を処理するために様々な処理技術が使用されることができる。これらの受信機処理技術は、空間及び時空間の受信機処理技術（それは、イコライゼイション技術とも呼ばれる）、及び／又は、“連続ヌリング／イコライゼイション及び干渉除去（successive nulling/equalization and interference cancellation）”受信機処理技術（それは、“連続干渉除去（successive interference cancellation）”又は“連続除去（successive cancellation）”受信機処理技術とも呼ばれる）を含むことができる。
【００７３】
本明細書で説明される態様が、ハードウェア、ソフトウェア、ファームウェア、ミドルウェア、マイクロコード、又はそれらの任意の組合せにより実装されることができることは理解されることができる。本システム及び／又は方法がソフトウェア、ファームウェア、ミドルウェア又はマイクロコード、プログラム・コード又はコード・セグメントで実装される場合、それらは、例えばストレージコンポーネントのような機械読み取り可能な媒体に記憶されることができる。コード・セグメントは、手続き、関数、サブプログラム、プログラム、ルーチン、サブルーチン、モジュール、ソフトウェア・パッケージ、クラスを表すことができ、又は、インストラクション、データ構造若しくはプログラム・ステートメントの任意の組合せを表すことができる。コード・セグメントは、情報、データ、引数、パラメータ又はメモリ内容をパス及び／又は受信することによって、他のコード・セグメント又はハードウェア回路に接続されることができる。情報、引数、パラメータ、データなどは、メモリ共有、メッセージ・パッシング、トークン・パッシング、ネットワーク伝送など含む任意の適切な手段を用いて、パス、フォワード又は送信されることができる。
【００７４】
ソフトウェア実装については、本明細書で説明される技術は、本明細書で説明される機能を実行するモジュール（例えば、手続き、関数、その他）で実装されることができる。ソフトウェア・コードは、メモリ・ユニットに記憶されて、プロセッサにより実行されることができる。メモリ・ユニットは、プロセッサの内部又は外部に実装されることが可能であり、その場合には、それは、当該技術分野において知られている様々な手段を通じて該プロセッサに通信で接続されることができる。
【００７５】
上に説明されたことは、一つ又は複数の態様の例を含む。前述の態様を説明することを目的としてコンポーネント又は手順の考えられる組み合わせをすべて説明することはもちろん可能ではないが、様々な態様の多数のさらなる組み合わせ又は置換が可能であることを当業者は認識できる。したがって、説明された態様は、添付のクレームの精神及び範囲内に含まれるそのような変更、修正及び変形をすべて包含することを意図されている。さらに、語句“含む（includes）”が詳細な説明又はクレームのいずれかにおいて使用される範囲内において、上記語句は、語句“備える、含む（comprising）”がクレームにおいてつなぎ詞（transitional word）として用いられた場合に“備える、含む（comprising）”として解釈されるのと同様の方法で、包括的であることを意図されている。さらに、詳細な説明又は特許請求の範囲で用いられる語句“又は（or）”は、“非排他的な、又は（non-exclusive or）”であることを意図されている。
【図１】
2011524693.tif 000003
【図２】
2011524693.tif 000004
【図３】
2011524693.tif 000005
【図４】
2011524693.tif 000006
【図５】
2011524693.tif 000007
【図６】
2011524693.tif 000008
【図７】
2011524693.tif 000009
【図８】
2011524693.tif 000010
【図９】
2011524693.tif 000011
【図１０】
2011524693.tif 000012
【図１１】
2011524693.tif 000013
【図１２】
2011524693.tif 000014
【図１３】
2011524693.tif 000015
【図１４】
2011524693.tif 000016
【図１５】
2011524693.tif 000017
【図１６】
2011524693.tif 000018
【図１７】
2011524693.tif 000019
【図１８】
2011524693.tif 000020
【国際調査報告】
2011524693.tif 000021
2011524693.tif 000022
2011524693.tif 000023